(57)【特許請求の範囲】
【請求項１】
肥料を貯留するホッパーと、前記ホッパーの下部に設けられ、円形の開口部を有するガイド板と、前記開口部に差し込まれ、前記ホッパー内の肥料を排出する排出管と、排出管の中心に位置した縦軸にペラを設けペラ下面にフランジがあり、前記排出管が上下して排出、停止をするシャッター装置であって、前記排出管が上昇すると、ペラの下面フランジに当たり蓋されることによって排出が止まると同時にモーターも停止し、前記排出管の上下操作は、ワイヤー連結されたレバーを操作することにより行うことを特徴とする散布機のシャッター装置。
【請求項２】
請求項１記載のシャッター装置を備え、ソーラーパネルとバッテリーと、チャージコントローラーを押し車に設け、ソーラーパネルの発電電力で散布作業ができることを特徴とする散布機。
【発明の詳細な説明】
【技術分野】
【０００１】
本発明は、肥料を散布する散布機のシャッター操作を簡単に開閉させる事と散布機の電源源供給をソーラー発電にした装置に関するものである。
【背景技術】
【０００２】
従来の肥料を散布する散布機は、肥料を貯留する容器下部の繰出口の開口部を左右にスライドしたシャッター構造と繰り出し口板が２枚かさなり芯を軸に１枚の板を回転させること事で開口部の大、小で肥料の散布量を調整するもので、その停止装置は特許文献１が知られている。またソーラー発電については、一般に広く知れ渡っている。
【先行技術文献】
【特許文献】
【０００３】
【特許文献１】特許第４４２３５９３号公報
【特許文献２】特許第４３９１３８９号公報
【発明の概要】
【発明が解決しようとする課題】
【０００４】
前記従来技術は、シャッターを左右にスライドし、回転させる構造で、複雑で部品点数も多い。そこで本発明は開閉装置のシャッターを上下させる構造にすることとし、さらに手押し車に肥料散布機を取り付けて、ソーラー発電でモーターを回転させ散布作業が出来る車を提供することを課題とする。
【課題を解決するための手段】
【０００５】
肥料を貯留するホッパー１と、前記ホッパーの下部に設けられ、円形の開口部を有するガイド板４と、前記開口部に差し込まれ、ホッパー１から肥料１９を排出する排出管５も組み込み排出管の中心に位置した縦軸にペラ３を設けペラ下面にフランジ２１があり、縦軸に差し込まれた排出管５を上げる事で排出を停止する構造、排出管５にセンターガイド７が一体構造にあって、上部は軸８に差し込み下部はリングフレーム６で支持されている。さらにセンターガイド７は次にスプリング１４をはめて、上部ナット１５とリブ１７と下部ナット１６で納め、排出管５は上下移動可能な構造である。ブラケット２９にワイヤー受け９があり、ワイヤー１０で排出管５に組み込んだリブ１７に接続され、前記ワイヤー１０は操作レバー１２と接続している。操作レバー１２と排出管５、ワイヤー１０は連動されており、操作レバー１２を下方に押すと排出管５は持ち上がり、操作を元に戻すとスプリング１４の作用で元に戻る。操作レバー１２の停止は、フック１８に止める事により排出管５を上昇状態で停止する事で課題を解決する。
【０００６】
請求項2のソーラー発電のシステムは、太陽光を受け発電するソーラーパネル２２と蓄電するバッテリー２４と電源のバランスを制御するチャージコントローラー２３を構成し、排出方法を小型モーターでも肥料１９の排出が出来る構造にするには、ペラ３に肥料排出時抵抗を少ない構造が要求される、そこで調整器２でペラ３を囲いホッパー１の底と前記調整器２の間から肥料１９が入った量を攪拌して排出させる構造で排出を可能にした。
【発明の効果】
【０００７】
開閉装置においては、圃場散布作業で折り返し時に散布の停止が瞬時に出来るので無駄をなくす事が出来、作業効率も良く安全にも繋がる。また瞬時に停止することにより、走行中は肥料１９がこぼれる心配も無くなる。
また、ソーラー発電で散布作業が出来る事でCO２の削減や、ビニールハウス内の肥料散布作業の健康管理、地球温暖化防止に繋がり社会貢献度が高く成る
【図面の簡単な説明】
【０００８】
【図１】散布機の散布構造と排出の断面図である。
【図２】散布停止状態のペラ、排出管要部の断面図である。
【図３】図２のペラを上から見た図である。
【図４】操作レバー電源ONの状態図である。
【図５】操作レバーの電源は停止状態図である。
【図６】ガイド板の円形開口部平面図である。
【図７】排出管と一体構造のセンターガイドの側面図である。
【図８】ソーラー
【発明を実施するための形態】
【０００９】
図１は散布機の散布構造と排出の断面図である。
【００１０】
図１はホッパー１に肥料１９が入っている状態を示す。調整器２は外カバー２０で保護されているので上下移動が出来る。調整器２を上げる事で肥料１９は調整器２の内側に入り軸８に取り付けたペラ３に接触する、ペラ３が回転して排出管５に肥料を落とし込んで排出され散布する。排出時のモーター１１の負担はペラ３に接触した肥料を回転させるので減速小型モーターで対応出来る。前記軸８とペラ３はピン２９で止められ回転伝動構造である。
【００１１】
図5は操作レバー１２を引くと電源スイッチが連携されて切れるのでモーター１１は回転を停止し、前記操作レバー１２とワイヤー１０で排出管５に取り付けられたリブ１７が引き上がり、図２のペラ３のフランジ面に当たり肥料１９の排出を止める事が出来る。
【００１２】
ソーラー発電は、電源を発生させるソーラーパネルと発生による電源を溜めるバッテリーとを制御するコントローラーで成り電源スイッチ１３によりモーターを回転させる。
【実施例】
【００１３】
図２は散布機の散布停止時の図である。排出管５と一体構造のセンターガイド７はリングフレームに支持されてスプリング１４、上部ナット1５リブ１７、下部ナット１６が組み込まれ前記リブ１７をワイヤー１０が前記操作レバー１２で引かれているのでペラ３のフランジ２１に当たり排出を停止している。図３はペラ３を上から見た図でフランジ２１の形状が確認できる。
【００１４】
図５は、操作レバー１２が回転軸３１を芯に左方に回転し前記操作レバーと連動される。回転板３０に組み込まれたカム３２は電源スイッチ１３解放されて電源が切りの状態である。前記電源スイッチ１３の配線３３はチャージコントローラー２３とモーター１１に接続されて前記モーター１１の回転・停止の操作をしいる。    
【００１５】
図8はソーラー発電システムのフロシート図である。
【００１６】
太陽光を受けて発電するソーラーパネル２２と蓄電をするバッテリー２４により  発電と蓄電のバランス制御をするチャージコントローラー２３前記ソーラーパネル２２の発電電力で駆動する散布機。モーター１１は散布機の排出口のセンターに位置しモーター１１に軸８を構成し先端にペラ３が回転する事で、排出口に肥料１９送られ排出される。モーター１１の作動は操作レバー１２に組み込まれた電源スイッチ１３が配線３３され前記モーター１１とチャージコントローラー２３で、運転・停止する。
【産業上の利用可能性】
【００１７】
肥料を散布する散布機のシャッター開閉方法の操作が手元で簡単に出来るため作業効率も良く安全である。
【００１８】
シンプルな構造のため、部品点数も少なく安価に仕上がり、部品点数が少ないため作業終了時に右止めフック２７左止めフック２８を外しさらにガイド板４も水洗いすることが可能である。
【００１９】
また手押し１輪車、２輪車の散布機は小型なので移動、収納、管理もすぐれている。ソーラー式発電を利用して散布作業が出来、燃料が必要ないため経済的でなおかつ、地球温暖化防止にも成り環境にも配慮している。
【符号の説明】
【００２０】
１    ホッパー
２    調整器
３    ペラ
４    ガイド板
５    排出管
６    リングフレーム
７    センターガイド
８    軸
９    ワイヤー受け
１０  ワイヤー
１１  モーター
１２  操作レバー
１３  電源スイッチ
１４  スプリング
１５  上部ナット
１６  下部ナット
１７  リブ
１８  フック
１９  肥料
２０  外カバー
２１  フランジ
２２  ソーラーパネル
２３  チャージコントローラー
２４  バッテリー
２５  ワイヤー止め金具
２６  吸収バネ
２７  右止めフック
２８  左止めフック
２９  ブラケット
３０  回転板
３１  回転軸
３２  カム
３３  配線
３４  ピン
３５  開口部
【要約】
【課題】散布機の開閉装置が簡単な構造であって、手元操作でモーターが回転し、肥料散布も同時に作動・停止が可能にして部品点数を少なく管理が楽な構造にする。そして電源が無い手押し車で散布作業が出来る作業車の構成である。
【解決手段】散布機の開閉装置を上下運動の操作で排出したり、停止したりすることをレバー式で同時に動かす事を可能にした。モーターの作動もレバーに電源スイッチを組み込み同時に連動可能にし、手押し車の電源供給はソーラー発電で散布機のモーターを回転させて散布可能にした。
【選択図】図1【図１】
0004807864.tif 000002
【図２】
0004807864.tif 000003
【図３】
0004807864.tif 000004
【図４】
0004807864.tif 000005
【図５】
0004807864.tif 000006
【図６】
0004807864.tif 000007
【図７】
0004807864.tif 000008
【図８】
0004807864.tif 000009